(57)【要約】【課題】波形状の軽量瓦は中央から割れ易い。【解決手段】薄厚な瓦本体１の中央を厚肉部７を設けると共に、尻側上面に段差部６を設けた軽量フラット瓦を葺設する際に、葺設する軽量フラット瓦の頭側を、葺設済みの軽量フラット瓦の段差部６に当接させて載置、葺設する。割れ易い中央部を厚くすることによって、強度の向上を図ると共に前垂れ４に切欠4aがあっても瓦本体１が反り難くなる。【選択図】図１
2007224540.tif 000002
【特許請求の範囲】
【請求項１】
薄厚な瓦本体の中央に厚肉部を設けると共に、尻側上面に、尻側重合部位を低くする段差部を設けたことを特徴とする軽量フラット瓦。
【請求項２】
前垂れに切欠を形成し、中央厚肉部における頭側部位の幅を、前記切欠より広くしたことを特徴とする請求項１記載の軽量フラット瓦。
【請求項３】
瓦本体における中央厚肉部の両側部位を断面波形状としたことを特徴とする請求項１又は２記載の軽量フラット瓦。
【請求項４】
瓦本体の尻側裏面の中央を凹凸面としたことを特徴とする請求項１、２又は３記載の軽量フラット瓦。
【請求項５】
瓦本体の尻側裏面に通気用突脚を設けたことを特徴とする請求項１、２、３又は４記載の軽量フラット瓦。
【発明の詳細な説明】
【技術分野】
【０００１】
本発明は、強度の向上を図った軽量フラット瓦に関する。
【背景技術】
【０００２】
従来、瓦本体の尻側上面を載置用の平坦面部とすると共に、一方側に重ね用段部を形成し、頭側に前垂れ部を設けると共に、瓦本体における尻側上面の平坦面部を除いた部分に複数列の凹凸リブを設け、該凹凸リブにより補強されて肉厚を薄くした軽量瓦が見受けられる（例えば、特許文献１参照）。
【０００３】
【特許文献１】登録実用新案第３００３６４３号公報
【発明の開示】
【発明が解決しようとする課題】
【０００４】
しかし、上記軽量瓦にあっては、上方の瓦の頭側部位が下方の二枚の瓦の尻側部位に跨がる様に葺設されることから、瓦の歪み、屋根下地の不陸等により、下方の二枚の瓦に上方の瓦の前垂れが当接しても、他方の瓦のからは離間した状態になり易いため、この状態で作業者が載ると中央から割れてしまい易く、特に前垂れに切欠のある瓦の場合、乾燥、焼成時に反り易いためにその傾向が大きいなど、解決せねばならない課題があった。
【課題を解決するための手段】
【０００５】
本発明は、上記従来技術に基づく、中央から割れ易い課題に鑑み、薄厚な瓦本体の中央を厚肉部を設けると共に、尻側上面に段差部を設けた軽量フラット瓦を葺設する際に、葺設する軽量フラット瓦の頭側を、葺設済みの軽量フラット瓦の段差部に当接させて載置、葺設することで、割れ易い中央部を厚くすることによって、強度の向上を図ると共に、前垂れに切欠があっても反り難くする様にして、上記課題を解決し、例えば軽量フラット瓦が屋根下地へ接着するタイプの瓦であった場合に、接着剤が未固化状態であっても瓦が擦り下がらない様にすることが可能になる。
【発明の効果】
【０００６】
要するに本発明は、薄厚な瓦本体の中央に厚肉部を設けたので、比較的割れ易い瓦本体の中央部の強度を向上させることが出来、よって葺設作業時に載っても割れにくくすることが出来、又尻側上面に、尻側重合部位を低くする段差部を設けたので、特に接着用の瓦の場合には葺設直後には接着剤が未固化状態であるが、その下方の固定状態の瓦の段差部に前垂れが当接しているため、葺設直後の空の擦り下がりを防止することが出来る。
又、前垂れに切欠を形成し、中央厚肉部における頭側部位の幅を、前記切欠より広くしたので、中央厚肉部に必要な原材料を削減することが出来るため、必要最低限の強度向上を図りつつ軽量化を図ることが出来る。
又、瓦本体における中央厚肉部の両側部位を断面波形状としたので、軽量化を図りつつ強度をも向上させることが出来る。
【０００７】
尻側裏面の中央に突条を設けたので、接着剤の塗布箇所である尻側裏面の中央を凹凸面にすることが出来るため、瓦本体に対し接着剤の一体性の向上を図ることが出来る。
又、尻側裏面に通気用突脚を設けたので、かかる軽量フラット瓦を屋根下地上に載置すると、軽量フラット瓦における尻側下方端縁部と屋根下地間に隙間が出来るため、軽量フラット瓦と屋根下地間の通気性を向上させることが出来る等その実用的効果甚だ大である。
【発明を実施するための最良の形態】
【０００８】
以下本発明の一実施例を図面に基づいて説明する。
先ず，本発明に係る軽量フラット瓦の基本形態としては、瓦本体１の一側方にオーバーラップ部２が、他側方にアンダーラップ部３が、頭側に前垂れ４が夫々形成され、瓦本体１の尻側上面に、尻側重合部位５を低くする段差部６を形成すると共に、中央部を厚肉部７としている。
以下、具体的に説明する。
【０００９】
図１〜６は、接着用の軽量フラット瓦の正面図、背面図、平面図、底面図、左側面図、右側面図であり、図７〜図１０は、図１のＸ−Ｘ断面図、Ｙ１−Ｙ１断面の拡大図、Ｙ２−Ｙ２断面の拡大図、Ｙ３−Ｙ３断面の拡大図であり、この接着用の軽量フラット瓦にあっては、瓦本体１における尻側重合部位５より頭側部位を断面台形波形状とし、表裏両側の中央側に位置する谷部を埋める様にして中央厚肉部７を形成して、瓦本体１における中央厚肉部７の両側部位が断面波形状となる様にしている。又、表側の山部の頂部及び中央厚肉部７の上面を尻側重合部位５より上方に位置させることで、境界部に段差部６を形成し、又接着剤Ａの塗布部位である尻側裏面の中央に突条８を設けて凹凸面としている。
そして、尻側裏面の中央に接着剤Ａを塗布した瓦の前垂れ４を、既に葺設された瓦の段差部６に当接させて屋根下地Ｗ上に載置した後、かかる瓦の尻側を屋根下地Ｗに押さえつけることを繰り返して、図１１に示す様に葺設する。
【００１０】
又、他の実施例にあっては、図１２に示す様な、尻側裏面に引掛け10、10a を設けた横桟工法用の軽量フラット瓦としている。
【００１１】
又、他の実施例にあっては、図１３に示す様に、尻側裏面に通気用突脚11、11a を設けており、上記接着用の軽量フラット瓦と同様に葺設すると、尻側下方端縁部が屋根下地Ｗからは離間して、図１４に示す様に隙間が出来る。この場合、接着剤Ａは厚めに塗布する必要がある
【００１２】
尚、上記実施例における中央厚肉部７は、全体にわたり同幅であるが、例えば図１５に示す様に、逆Ｔ字状にするなど、要するに前垂れ４に切欠4aをが形成された瓦においては、中央厚肉部７の頭側部位の幅Ｈが、前記切欠4aの幅ｈより広いのが好ましい。
又、図面上、尻側に釘穴が形成されているが、接着用の軽量フラット瓦には無くても良く、突条８も１本であるが２本以上であっても良い。
又、軽量フラット瓦の形態は瓦本体１の両側部を隆起させた所謂Ｕタイプであるが、かかる形態に限定せず、単なるフラット瓦であっても良く、この場合前垂れ４に切欠4aは無くても良い。
【図面の簡単な説明】
【００１３】
【図１】接着葺設用の軽量フラット瓦の正面図である。
【図２】図１の背面図である。
【図３】図１の平面図である。
【図４】図１の底面図である。
【図５】図１の左側面図である。
【図６】図１の右側面図である。
【図７】図１のＸ−Ｘ断面図である。
【図８】図１のＹ１−Ｙ１断面の拡大図である。
【図９】図１のＹ２−Ｙ２断面の拡大図である。
【図１０】図１のＹ３−Ｙ３断面の拡大図である。
【図１１】図１の軽量フラット瓦の葺設状態を示す断面図である。
【図１２】横桟工法用の軽量フラット瓦の平面図である。
【図１３】通気用突脚を有する軽量フラット瓦の平面図である。
【図１４】図１３の軽量フラット瓦の葺設状態を示す断面図である。
【図１５】中央厚肉部を逆Ｔ字状にした軽量フラット瓦の背面図である。
【符号の説明】
【００１４】
１        瓦本体
４        前垂れ
4a        切欠
５        尻側重合部位
６        段差部
７        中央厚肉部
11、11a   通気用突脚
【図１】
2007224540.tif 000003
【図２】
2007224540.tif 000004
【図３】
2007224540.tif 000005
【図４】
2007224540.tif 000006
【図５】
2007224540.tif 000007
【図６】
2007224540.tif 000008
【図７】
2007224540.tif 000009
【図８】
2007224540.tif 000010
【図９】
2007224540.tif 000011
【図１０】
2007224540.tif 000012
【図１１】
2007224540.tif 000013
【図１２】
2007224540.tif 000014
【図１３】
2007224540.tif 000015
【図１４】
2007224540.tif 000016
【図１５】
2007224540.tif 000017